(57)【特許請求の範囲】
【請求項１】
背部にあてがわれる後背部と腹部にあてがわれる前腹部とそれら後背部と前腹部間に連なって設けられる股部とを有するパンツ本体と、該パンツ本体内に配置されると共に後背部から股部および前腹部にわたる縦長の吸収体とを備えてなる使い捨て吸収性パンツにおいて、
前記吸収体は、その長手方向両端部のみで前記前腹部側および前記後背部側にそれぞれ固着され、
前記パンツ本体がトランクス型に形成されており、
前記パンツ本体に、
前記吸収体が配置された領域に対応するパンツ本体の前記前腹部から前記股部を通り前記後背部に至って、パンツ本体を縦方向に収縮させるための複数の股部引き上げ用弾性部材と、
該パンツ本体の高さ方向略全域にわたって、パンツ本体を横方向に収縮させるための横ギャザー形成用弾性部材と、
が配設されており、
中央部に配設された前記股部引き上げ用弾性部材は、両側部に配設された前記股部引き上げ用弾性部材より、短いことを特徴とする使い捨て吸収性パンツ。
【請求項２】
請求項１に記載の使い捨て吸収性パンツにおいて、
前記パンツ本体は、前記横ギャザー形成用弾性部材が介在された内層シートと外層シートとを備え、内外シート材間に前記股部引き上げ用弾性部材が介在された縦長の引き上げ用シート体が前記内層シートに全面固着され、この引き上げ用シート体に前記吸収体の長手方向両端部が固着されていることを特徴とする使い捨て吸収性パンツ。
【請求項３】
請求項１または請求項２に記載の使い捨て吸収性パンツにおいて、
前記吸収体は、吸液性を有する吸収体本体部と、該吸収体本体部の肌面側を覆うトップシートと、吸収体本体部の前記肌面側と反対の非肌面側を覆うバックシートとを備え、
前記吸収体の前記長手方向両端部に、前記吸収体本体部が存在しないシートのみ部が形成され、前記前腹部と前記後背部に固着された領域の下側に前記シートのみ部の領域が存在することを特徴とする使い捨て吸収性パンツ。
【発明の詳細な説明】
【技術分野】
【０００１】
本発明は、パンツ型の使い捨ておむつ等のような使い捨て吸収性パンツの改良に関するものである。
【背景技術】
【０００２】
従来、この種の使い捨て吸収性パンツとして、例えば、背部にあてがわれる後背部と腹部にあてがわれる前腹部とそれら後背部と前腹部間に連なって設けられる股部とにより、腰周り開口部や脚周り開口部を有するパンツ型に構成されたパンツ本体と、該パンツ本体内において後背部から股部および前腹部にわたって配置された縦長の吸収体とを備えた構造のものがある（例えば、特許文献１参照。）。
【０００３】
そして、パンツ本体は、例えば、互いに重合状に接合され、実質的に不透液性とされた外層シートと内層シートとを備え、後背部や前腹部における腰部周りに対応した外層シートと内層シートとの間には、腰周り用弾性部材が伸張状態で介在され、また、脚部周りに対応した外層シートと内層シートとの間には、脚周り用弾性部材が伸張状態で介在されており、腰周り用弾性部材の伸縮作用により腰周りにフィットし、脚周り用弾性部材の伸縮作用により脚周りにフィットするように構成されている。
【０００４】
吸収体は、肌面側に位置する透液性の表面シートと、非肌面側に位置する不透液性の裏面シートと、表面シートと裏面シートの間に介在された吸液性コアとを有し、吸液性コアは表面シートと裏面シートの内面に固着された構造とされている。
【０００５】
また、吸収体のパンツ本体に対する対向面には、縦方向へ延びる伸縮性弾性部材が伸張状態で取り付けられており、この吸収体は、その長手方向両端部が後背部や前腹部にそれぞれ固着された構造とされている。
【０００６】
そして、パンツの着用状態において、吸収体における縦方向の伸縮性弾性部材の収縮作用により、吸収体のパンツ本体に固着された部分を除いた残りの部分が上方に持ち上げられるため、吸収体を着用者の肌に密着させることができ、着用者と吸収体との相互間に生じる隙間からの排泄物等の漏れを防止した構造とされている。
【０００７】
【特許文献１】特開２００３−６２００９号公報
【発明の開示】
【発明が解決しようとする課題】
【０００８】
しかしながら、上記従来構造の使い捨て吸収性パンツによれば、吸収体そのものに伸縮性弾性部材を設けた構造としているため、伸縮性弾性部材の収縮作用により吸収体自体に縮み等が生じて、吸液性コアによる排泄物等の吸収性能の劣化を招くおそれがあった。
【０００９】
また、吸収体自体に縮みによるしわ等が生じた状態で、着用者の肌側に密着されるため、ゴワゴワ感が生じてフィット感に劣るという問題があった。
【００１０】
そこで、本発明の解決すべき課題は、排泄物等の吸収性能が有効に発揮でき、フィット感にも優れる使い捨て吸収性パンツを提供することを目的とする。
【課題を解決するための手段】
【００１１】
上記の課題を解決するため、請求項１の発明では、背部にあてがわれる後背部と腹部にあてがわれる前腹部とそれら後背部と前腹部間に連なって設けられる股部とを有するパンツ本体と、該パンツ本体内に配置されると共に後背部から股部および前腹部にわたる縦長の吸収体とを備えてなる使い捨て吸収性パンツにおいて、前記吸収体は、その長手方向両端部のみで前記前腹部側および前記後背部側にそれぞれ固着され、前記パンツ本体がトランクス型に形成されており、前記パンツ本体に、前記吸収体が配置された領域に対応するパンツ本体の前記前腹部から前記股部を通り前記後背部に至って、パンツ本体を縦方向に収縮させるための複数の股部引き上げ用弾性部材と、該パンツ本体の高さ方向略全域にわたって、パンツ本体を横方向に収縮させるための横ギャザー形成用弾性部材と、が配設されており、中央部に配設された前記股部引き上げ用弾性部材は、両側部に配設された前記股部引き上げ用弾性部材より、短い。
【００１４】
また、請求項２の発明では、請求項１に記載の使い捨て吸収性パンツにおいて、前記パンツ本体は、前記横ギャザー形成用弾性部材が介在された内層シートと外層シートとを備え、内外シート材間に前記股部引き上げ用弾性部材が介在された縦長の引き上げ用シート体が前記内層シートに全面固着され、この引き上げ用シート体に前記吸収体の長手方向両端部が固着されている。
【００１５】
さらに、請求項３の発明では、請求項１または請求項２に記載の使い捨て吸収性パンツにおいて、前記吸収体は、吸液性を有する吸収体本体部と、該吸収体本体部の肌面側を覆うトップシートと、吸収体本体部の前記肌面側と反対の非肌面側を覆うバックシートとを備え、前記吸収体の前記長手方向両端部に、前記吸収体本体部が存在しないシートのみ部が形成され、前記前腹部と前記後背部に固着された領域の下側に前記シートのみ部の領域が存在する構造とされている。
【発明の効果】
【００１６】
請求項１〜３に記載の発明に係る使い捨て吸収性パンツにおいては、吸収体は、その長手方向両端部のみで前腹部側および後背部側にそれぞれ固着され、パンツ本体に、吸収体が配置された領域に対応するパンツ本体の前腹部から股部を通り後背部に至って、パンツ本体を縦方向に収縮させるための股部引き上げ用弾性部材が配設されている構造とされているため、股部引き上げ用弾性部材の収縮作用によりパンツ本体の股部が引き上げられた際において、吸収体自体はその収縮作用の影響をほとんど受けず、従って従来のような縮みによるしわ等を生じずに着用者の肌側に押し上げて当てることができ、フィット感に優れる利点がある。
【００１７】
そして、吸収体自体に縮み等が生じないため、排泄物等の吸収性能の劣化が防止でき、本来の吸収性能が有効に発揮できる利点もある。
【００１８】
また、請求項１〜３に記載の発明によれば、パンツ本体に、該パンツ本体の高さ方向略全域にわたって、パンツ本体を横方向に収縮させるための横ギャザー形成用弾性部材が配設されている構造とされているため、パンツ本体全体にわたって横方向の収縮作用によるフィット性の向上が図れ、脚の細い着用者や脚の太い着用者のいずれにも対応できる利点がある。
【００１９】
さらに、請求項１〜３に記載の発明によれば、パンツ本体がトランクス型に形成された構造としているため、パンツ本体全体にわたる横方向の収縮作用がより広範囲にわたって確保でき、より一層のフィット性向上が図れ、脚の細い着用者や脚の太い着用者のいずれにもより有効に対応できる利点がある。
【００２０】
また、請求項２に記載の発明によれば、パンツ本体は、横ギャザー形成用弾性部材が介在された内層シートと外層シートとを備え、内外シート材間に股部引き上げ用弾性部材が介在された縦長の引き上げ用シート体が前記内層シートに全面固着され、この引き上げ用シート体に前記吸収体の長手方向両端部が固着された構造としており、横ギャザー形成用弾性部材が介在される部分と、股部引き上げ用弾性部材が介在される部分とを別部材で形成し、固着する構造とされているため、容易に製造できる利点がある。
【００２１】
さらに、請求項３に記載の発明によれば、吸収体は、吸液性を有する吸収体本体部と、該吸収体本体部の肌面側を覆うトップシートと、吸収体本体部の前記肌面側と反対の非肌面側を覆うバックシートとを備え、吸収体の長手方向両端部に、吸収体本体部が存在しないシートのみ部が形成され、前腹部と後背部に固着された領域の下側にシートのみ部の領域が存在する構造としているため、股部引き上げ用弾性部材の収縮作用によりパンツ本体の股部が引き上げられ、吸収体が持ち上げられて着用者の肌側に押し当てられる際、吸収体本体部が存在する部分よりも剛性の弱いシートのみ部で吸収体の持ち上げ移動を有効に吸収でき、吸収体本体部が存在する部分を着用者の肌側に均一的に押し当てることができてフィット感のより向上が図れる利点がある。
【発明を実施するための最良の形態】
【００２２】
＜第１の実施形態＞
以下、本発明の第１の実施形態を図面に基づいて説明すると、図１ないし図５に示されるように、使い捨て吸収性パンツの一例としての使い捨てパンツ１は、従来同様、着用者２８の背部にあてがわれる後背部２と、腹部にあてがわれる前腹部３と、それら後背部２と前腹部３間に連なって設けられ、着用者２８の股部にあてがわれる股部４とを有するパンツ本体５と、パンツ本体５内にホットメルト接着剤等により貼着されて配置されると共に、後背部２から股部４および前腹部３にわたる縦長の吸収体６とを備えた構造とされている。
【００２３】
そして、二つ折り状態とされたパンツ本体５における後背部２の両側端部２ａと前腹部３の両側端部３ａとが、超音波溶着等により互いに接合されて接合部７が形成され、ここに、図１に示されるように、後背部２と前腹部３とにより周方向環状の腰周り開口部８が形成されると共に、股部４の両側に脚周り開口部９がそれぞれ形成され、本実施形態ではパンツ本体５がいわゆるトランクス型に形成された構造とされている。
【００２４】
前記パンツ本体５は、図３ないし図５に示されるように、ホットメルト接着剤等により互いに重合状に接合された内層シート１１と外層シート１２とを備え、これら内層シート１１と外層シート１２との相互間におけるパンツ本体５の高さ方向略全域にわたって、パンツ本体５を横方向に収縮させるための横ギャザー形成用弾性部材１３が、高さ方向に適宜間隔を有して多数本、伸張状態で配設された構造とされている。
【００２５】
即ち、パンツ本体５における腰部周りや腹部周りさらには脚部周りの高さ方向略全域にわたる内層シート１１と外層シート１２との相互間には、横ギャザー形成用弾性部材１３としてのウエストギャザー形成用弾性部材１３ａやボディギャザー形成用弾性部材１３ｂやレッグギャザー形成用弾性部材１３ｃがそれぞれ伸張状態で介在されており、ウエストギャザー形成用弾性部材１３ａやボディギャザー形成用弾性部材１３ｂやレッグギャザー形成用弾性部材１３ｃの伸縮作用により、腰周りや腹周りや脚周りに柔軟にフィットするウエストギャザー部１５やボディギャザー部１６やレッグギャザー部１７が構成されている。
【００２６】
なお、本実施形態においては、外層シート１２の両端部が内層シート１１側に折り返された折返し片部１２ａを備え、ウエストギャザー形成用弾性部材１３ａは、外層シート１２と折返し片部１２ａとの相互間でパンツ本体５における幅方向全体にわたって配設された構造とされている。また、ボディギャザー形成用弾性部材１３ｂやレッグギャザー形成用弾性部材１３ｃは、パンツ本体５における吸収体６が配置された領域を除いた部分に配設されており、レッグギャザー形成用弾性部材１３ｃの一部においては、図２に示されるように、脚周り開口部９を構成するための切込み部９ａに沿って配設された構造とされている。
【００２７】
さらに、吸収体６が配置された領域に対応するパンツ本体５の内層シート１１と外層シート１２との相互間には、前腹部３から股部４を通り後背部２に至る適宜本数の股部引き上げ用弾性部材１９が伸張状態で介在されており、股部引き上げ用弾性部材１９の収縮作用により、パンツ本体５が縦方向に収縮されてパンツ本体５の股部４を引き上げる構造とされている。この際、本実施形態においては、両側部に配設された各股部引き上げ用弾性部材１９は、吸収体６が配置された領域の略全長にわたって配設されているのに対し、中央部に配設された各股部引き上げ用弾性部材１９は短めに配設された構造とされている。
【００２８】
そして、内層シート１１や外層シート１２は、スパンボンド不織布等の撥水性不織布や親水性不織布等により形成されている。また、各弾性部材１３ａ，１３ｂ，１３ｃ，１９としては、通常使い捨ておむつに用いられる弾性伸縮材料（ポリウレタン糸、ポリウレタンフィルム、天然ゴム等）が用いられ、伸張状態でホットメルト接着剤、熱溶着、超音波溶着等の貼着手段によりそれぞれの所定部位に貼着される構造とされている。
【００２９】
前記吸収体６は、図３ないし図５に示されるように、吸液性を有する吸収体本体部としての吸液マット体２０と、該吸液マット体２０の外面側、即ち非肌面側（図では下側）を包むように覆うバックシート２１と、吸液マット体２０の肌面側（図では上側）を包むように覆うトップシート２２とを備え、所定形状に成形された構造とされている。
【００３０】
そして、トップシート２２は透液性の不織布により構成され、バックシート２１は不透液性や撥水性を有する不織布や不透液性のプラスチックフィルム等により構成されている。また、吸液マット体２０は、例えば、粉砕したパルプ繊維やセルロース繊維等の親水性繊維集合層に粒状の高分子吸収体を混合した塊をティッシュペーパー等の紙または透液性不織布等の被覆シートで包み、所定形状に成形された構造とされている。
【００３１】
さらに、吸収体６における肌面側の幅方向両側部には、その長手方向に沿ってサイドシート２３がそれぞれホットメルト接着剤等により接合されており、各サイドシート２３の内側端縁部にはそれぞれ立体ギャザー形成用弾性部材２４が伸張状態で介在されている。そして、これら立体ギャザー形成用弾性部材２４の伸縮作用により、着用者の肌側に柔軟に押し付けられるべく内向きに起立する立体ギャザー部２５が構成されている。
【００３２】
前記サイドシート２３は不透液性の不織布等で構成され、立体ギャザー形成用弾性部材２４は前記弾性部材１３ａ，１３ｂ，１３ｃ，１９と同様の伸縮性材料が用いられ、同様に、ホットメルト接着剤等により所定部位に貼着される構造とされている。
【００３３】
このように構成された吸収体６は、その長手方向両端部のみでパンツ本体５内面側における後背部２や前腹部３に、ホットメルト接着剤２６等により固着された構成とされている。従って、固着された部分以外においては、吸収体６とパンツ本体５との相互間には隙間が生じる構造となっており、パンツ本体５と吸収体６とは相対的に移動可能とされている。
【００３４】
また、図２や図５に示されるように、外層シート１２の両端部はそれぞれ折り返されて内層シート１１の端部上面側に重合状に接合された構造とされており、この外層シート１２の各折返し片部１２ａで、貼着された吸収体６の両端縁部が直接肌に当たらないように覆われた構造とされている。
【００３５】
本実施形態は以上のように構成されており、この使い捨てパンツ１を着用した状態においては、各ウエストギャザー形成用弾性部材１３ａ、各ボディギャザー形成用弾性部材１３ｂ、各レッグギャザー形成用弾性部材１３ｃ、各立体ギャザー形成用弾性部材２４の伸縮作用により、着用者２８の腰周り、腹周り、脚周りの各部肌側へ良好に密着する構造とされている。
【００３６】
そして特に、パンツ本体５における吸収体６が配置された領域に対応して、各股部引き上げ用弾性部材１９が伸張状態で配設されているため、これら股部引き上げ用弾性部材１９の収縮作用により、パンツ本体５における股部４の引き上げ作用が生じ、この股部４の引き上げ作用により内側に配置されている吸収体６が押し上げられて着用者２８の肌側に押し当てられる。
【００３７】
また、中央部に配設された各股部引き上げ用弾性部材１９が、その左右両側部の他の股部引き上げ用弾性部材１９より短めに配設された構造となっているので、吸収体６を押し上げる力は強められる構成となっている。
【００３８】
この際、吸収体６は長手方向両端部のみでパンツ本体５に固着されており、その他の部分においては、吸収体６とパンツ本体５とがいわゆる縁が切られた構造となっているため、股部引き上げ用弾性部材１９の収縮作用によりパンツ本体５に縮みによるしわが生じても、吸収体６自体はその収縮作用の影響をほとんど受けず、従って、従来のような吸収体自体に弾性部材を配設することによる縮みやしわ等を何ら生じずに、着用者２８の肌側に押し上げて当てることができるため、ゴワ付き感がなく、フィット感に優れ、漏れ防止が図れると共に良好な着用感が得られるという利点がある。
【００３９】
また、吸収体６自体に縮み等が何ら生じないため、吸液マット体２０による排泄物等の吸収領域も良好に確保でき、ここに排泄物等の吸収性能の劣化が防止でき、吸収体６本来の吸収性能が有効に発揮できるという利点がある。
【００４０】
さらに、パンツ本体５の高さ方向略全域にわたって、パンツ本体５を横方向に収縮させるためのウエストギャザー形成用弾性部材１３ａ、ボディギャザー形成用弾性部材１３ｂ、レッグギャザー形成用弾性部材１３ｃからなる横ギャザー形成用弾性部材１３が配設されているため、パンツ本体５全体にわたって横方向の収縮作用によるフィット性の向上が図れ、従来のような脚周り開口部の周囲に沿ってのみ弾性部材が配置されている構造のものと比較して、脚の細い着用者２８や脚の太い着用者２８のいずれにも対応でき、しかもパンツ本体５がトランクス型に形成されていることから、パンツ本体５全体にわたる横方向の収縮作用がより広範囲にわたって確保でき、より一層のフィット性向上が図れて、着用者２８の脚の細い太いにかかわらず、より有効に対応できると共に、漏れ防止も有効に図れる利点がある。
【００４１】
また、パンツ本体５と吸収体６とは股部４付近で相対移動可能とされていても、パンツ本体５がトランクス型とされているため、脚周り開口部９からはみ出すおそれもなく、見栄えもよい。従って、交換式の尿取りパットを使用する場合にも、脚周り開口部９からのはみ出しが有効に防止できる。
【００４２】
＜第２の実施形態＞
図６および図７は第２の実施形態を示しており、前記第１の実施形態と同様構成部分は同一符号を付し、その説明を省略する。
【００４３】
即ち、本実施形態においては、パンツ本体５が、第１の実施形態のようにウエストギャザー形成用弾性部材１３ａ、ボディギャザー形成用弾性部材１３ｂ、レッグギャザー形成用弾性部材１３ｃからなる横ギャザー形成用弾性部材１３が介在されて互いに接合された内層シート１１と外層シート１２とからなるトランクス型のパンツ本体主部５ａと、パンツ本体主部５ａにおける吸収体６の配置領域に対応してホットメルト接着剤等により全面的に接合された引き上げ用シート体５ｂとを備えてなる構造とされている。
【００４４】
この引き上げ用シート体５ｂは、図２に示されるような展開状態で、吸収体６の平面視と同じ領域を有する縦長矩形の不織布等からなる内外シート材としての内側シート材３０と外側シート材３１とを備え、これら内側シート材３０と外側シート材３１との相互間に、第１の実施形態と同様に配置された適宜本数の股部引き上げ用弾性部材１９が介在された状態で、ホットメルト接着剤等により接合された構造とされている。従って、股部引き上げ用弾性部材１９の収縮作用により、第１の実施形態と同様、パンツ本体５の股部４を引き上げる作用を発揮する構造とされている。
【００４５】
そして、この引き上げ用シート体５ｂにおける内側シート材３０の長手方向両端部に、吸収体６の長手方向両端部がホットメルト接着剤３３等により接着された構造とされている。また、その他の構造は第１の実施形態と同様に構成されている。
【００４６】
従って、本実施形態においても第１の実施形態と同様の効果を奏すると共に、横ギャザー形成用弾性部材１３が介在されるパンツ本体主部５ａと、股部引き上げ用弾性部材１９が介在される引き上げ用シート体５ｂとを別部材で構成し、その後固着する構造としているため、それぞれの構造の簡素化が図れ、パンツ本体主部５ａや引き上げ用シート体５ｂを容易に製造できる利点がある。
【００４７】
また、吸収体６に予め、引き上げ用シート体５ｂを固着した状態で、引き上げ用シート体５ｂの外側シート材３１を展開状態のパンツ本体主部５ａの内層シート１１に全面固着して、使い捨てパンツ１を製造することができ、製造手順に幅ができるという利点がある。
【００４８】
＜第３の実施形態＞
図８は第３の実施形態を示しており、前記第１の実施形態と同様構成部分は同一符号を付し、その説明を省略する。
【００４９】
即ち、本実施形態においては、吸液マット体２０の肌面側を覆うトップシート２２と反対の非肌面側を覆うバックシート２１との長手方向両端部に、吸液マット体２０が存在しないトップシート２２とバックシート２１とが重合状に接合されたシートのみ部３５を長めに形成した構造とされている。
【００５０】
そして、吸収体６の長手方向両端部におけるシートのみ部３５が、ホットメルト接着剤２６等により前腹部３や後背部２に固着された状態において、その固着された領域の下側にもシートのみ部３５の領域が存在する構造とされている。また、その他の構造は第１の実施形態と同様に構成されている。
【００５１】
従って、本実施形態においても第１の実施形態と同様の効果を奏すると共に、パンツ本体５に配設された股部引き上げ用弾性部材１９の収縮作用によりパンツ本体５の股部４が引き上げられ、この股部４の引き上げ作用により吸収体６が持ち上げられて着用者２８の肌側に押し当てられる際、吸液マット体２０が存在する部分よりも剛性の弱いシートのみ部３５で吸収体６の持ち上げ移動を有効に吸収でき、吸液マット体２０が存在する部分での持ち上げによるしわ等の発生が有効に防止でき、ここに、吸液マット体２０が存在する部分を着用者２８の肌側に均一的に押し当てることができてフィット感のより向上が図れる利点がある。
【００５２】
＜その他の構成＞
なお、上記各実施形態においては、パンツ本体５における吸収体６の配置された領域に対応した部分には、ボディギャザー形成用弾性部材１３ｂやレッグギャザー形成用弾性部材１３ｃの横ギャザー形成用弾性部材１３が存在しない構造を示しているが、幅方向全体にわたって横ギャザー形成用弾性部材１３を配設する構造であってもよい。
【００５３】
また、使い捨てパンツ１としてトランクス型のものを示しているが、いわゆるブリーフ型のものであってもよい。
【００５４】
さらに、パンツ本体５に配設される横ギャザー形成用弾性部材１３や股部引き上げ用弾性部材１９の長さや本数等は、何ら各実施形態に限られず、必要に応じて適宜決定すればよい。
【図面の簡単な説明】
【００５５】
【図１】本発明の第１の実施形態に係る使い捨てパンツの斜視図である。
【図２】同展開図である。
【図３】図２のIII−III線断面矢視図である。
【図４】図２のIV−IV線断面矢視図である。
【図５】断面側面図である。
【図６】第２の実施形態に係る使い捨てパンツの股部の断面図である。
【図７】図６のVII−VII線断面矢視図である。
【図８】第３の実施形態に係る使い捨てパンツの断面側面図である。
【符号の説明】
【００５６】
１  使い捨てパンツ、２  後背部、３  前腹部、４  股部、５  パンツ本体、５ａ  パンツ本体主部、５ｂ  引き上げ用シート体、６  吸収体、１１  内層シート、１２  外層シート、１３  横ギャザー形成用弾性部材、１９  股部引き上げ用弾性部材、２０  吸液マット体、２１  バックシート、２２  トップシート、２３  サイドシート、２６  ホットメルト接着剤、２８  着用者、３０  内側シート材、３１  外側シート材、３３  ホットメルト接着剤、３５  シートのみ部。
【図１】
0004688669.tif 000002
【図２】
0004688669.tif 000003
【図３】
0004688669.tif 000004
【図４】
0004688669.tif 000005
【図５】
0004688669.tif 000006
【図６】
0004688669.tif 000007
【図７】
0004688669.tif 000008
【図８】
0004688669.tif 000009